(57)【要約】【課題】  メモリカードのような可搬型記録媒体が装填される撮影装置にあって、撮影したいときにいつでも撮影を行なえる撮影装置を提供すること。【解決手段】  媒体装填室１２の内壁側面にレール状に多数段の仕切りを設ける。最下面にメモリカード１１３をアクセスするための電気接点１３１を設けて、最下段にあるメモリカード１１３に画像データの記録を行なう。さらにメモリカード１１３が装填された枚数を検出するセンサ１３２を媒体装填室１３の終端部に設けて、それらのセンサ１３２の検出を受けて枚数をカウントして表示画面１５０ａ上に枚数を表示する。【選択図】  図１
2005167889.tif 000002
【特許請求の範囲】
【請求項１】
可搬型記録媒体が装填される媒体装填室を備え、撮影操作に応じて撮影を行なって撮影データを得、該画像データを、該媒体装填室に装填されている記録媒体に記録する撮影装置において、
前記媒体装填室は、複数枚の記録媒体が装填されるものであることを特徴とする撮影装置。
【請求項２】
前記記録媒体が、該記録媒体の表裏面のうちの一方の面である表面にのみ、該記録媒体をアクセスするための電気接点が形成されたものであり、
前記媒体装填室は、前記記録媒体が２枚装填されるものであって、該記録媒体が裏面どうしを対向させて装填されたときに各記録媒体の表面に形成されている電気接点に接し各記録媒体をアクセスするための電気接点を備えたものであることを特徴とする請求項１記載の撮影装置。
【請求項３】
前記記録媒体は、記録媒体にアクセスするための電気接点が形成されたものであり、
前記媒体装填室は、挿入された複数枚の記録媒体のうちの所定の位置に挿入された記録媒体のみをアクセスするための電気接点を備えたものであることを特徴とする請求項１記載の撮影装置。
【請求項４】
前記媒体装填室に装填された記録媒体の枚数を検出する枚数検出部と、該枚数検出部で検出された記録媒体の枚数を表示する枚数表示部とを備えたものであることを特徴とする請求項１記載の撮影装置。
【発明の詳細な説明】
【技術分野】
【０００１】
本発明は、可搬型記録媒体が装填される媒体装填室を備え、撮影操作に応じて撮影を行なって撮影データを得、その画像データをその媒体装填室に装填されている記録媒体に記録する撮影装置に関する。
【背景技術】
【０００２】
従来より、可搬型記録媒体としてＰＣカードやＰＣカードよりも小型のメモリカード等が知られている。ＰＣカードには、シングルスロットタイプのものとダブルスロットタイプのものがあり、これら２種類のタイプのＰＣカードのどちらにも嵌合することができるコネクタが提案されている（例えば特許文献１参照）。また、ＰＣカードとメモリカードの両者に対応したスロットも提案されている（例えば特許文献２参照）。
【特許文献１】特開平１０−２８９７７２号公報
【特許文献２】特開２００１−２７３４６５号公報
【発明の開示】
【発明が解決しようとする課題】
【０００３】
ところで、撮影装置の中には、可搬型記録媒体例えばメモリカードが装填されるものがある。このような撮影装置においては、メモリカードが手元に複数枚あれば、それら複数枚のメモリカードのいずれかと媒体装填室に装填されていたメモリカードとを交換することで手元にあるメモリカードの記録容量分の撮影枚数が確保される。
【０００４】
しかし、メモリカードを撮影装置とは別に携帯すると、メモリカードはかなり小型のものであることから紛失しやすいといった問題がある。
【０００５】
本発明は、上記問題点を解決し、手元にある複数枚のメモリカードを紛失する危険性が低減された撮影装置を提供することを目的とする。
【課題を解決するための手段】
【０００６】
上記目的を達成する本発明の撮影装置は、可搬型記録媒体が装填される媒体装填室を備え、撮影操作に応じて撮影を行なって撮影データを得、その画像データをその媒体装填室に装填されている記録媒体に記録する撮影装置において、
上記媒体装填室は、複数枚の記録媒体が装填されるものであることを特徴とする。
【０００７】
上記撮影装置によれば、上記媒体装填室に上記複数枚の記録媒体が装填される。そうすると、上記媒体装填室に複数枚の記録媒体が装填され、その複数枚の記録媒体が撮影装置と一緒に携帯される。その結果、複数枚の記録媒体を手元に置くにあたり、上記媒体装填室が収納箱の機能を発揮してその媒体装填室に記録媒体が装填されている限り、記録媒体を紛失するといったことがなくなる。
【０００８】
ここで上記媒体装填室が、複数枚の記録媒体それぞれにアクセスする電気接点を備えたものであっても、複数枚の記録媒体のうち、いずれかの記録媒体にのみアクセスする電気接点を備えたものであっても良い。
【０００９】
上記媒体装填室が複数枚の記録媒体それぞれにアクセスする電気接点を備えたものであって、特に２枚の記録媒体それぞれにアクセスする電気接点をそれぞれ備えたものである場合には、
上記記録媒体が、その記録媒体の表裏面のうちの一方の面である表面にのみ、その記録媒体をアクセスするための電気接点が形成されたものであり、
上記媒体装填室は、上記記録媒体が２枚装填されるものであって、その記録媒体が裏面どうしを対向させて装填されたときに各記録媒体の表面に形成されている電気接点に接し各記録媒体をアクセスするための電気接点を備えたものであることが好ましい。
【００１０】
このように上記複数枚の記録媒体のうち、２枚分の容量が確保されれば良いということであれば、いままでの媒体装填室のソケットを若干厚くして、さらにその媒体装填室に、上記記録媒体の裏面同士を対向させて装填されたときに各記録媒体の表面に形成されている電気接点に接して各記録媒体をアクセスするための電気接点を設けることで、２枚分の可搬型記録媒体の記録容量が確保される。この構成によって撮影装置内にもう一つの媒体装填室を設けるよりも場所を取らない小型の媒体装填室が実現される。その結果、撮影装置も小型になるという波及効果も得られる。
【００１１】
また、上記媒体装填室が、複数枚の記録媒体のうち、いずれかの記録媒体にのみアクセスする電気接点を備えたものである場合には、
上記記録媒体は、記録媒体にアクセスするための電気接点が形成されたものであって、
上記媒体装填室は、挿入された複数枚の記録媒体のうちの所定の位置に挿入された記録媒体のみをアクセスするための電気接点を備えたものであることが好ましい。
【００１２】
上記媒体装填室が、挿入された複数の記録媒体のうちの所定の位置に挿入された記録媒体のみをアクセスするための電気接点を備えたものであると、その所定の位置に挿入された記録媒体のみに画像データが記録される。他の記録媒体は、スペアとなって、その所定の位置に挿入された記録媒体が抜脱されてそのスペアが所定の位置に挿入されると、そのスペアの記録媒体に画像データが記録される。このように記録媒体が交換自在に挿入されることを利用すると、撮影装置内に装填されたすべての記録媒体が有効に活用され複数枚の記録媒体の枚数分の撮影枚数が確実に確保される。
【００１３】
さらに、上記媒体装填室が、複数枚の記録媒体のうち、いずれかの記録媒体にのみアクセスする電気接点を備えたものである場合には、
上記媒体装填室に装填された記録媒体の枚数を検出する枚数検出部と、その枚数検出部で検出された記録媒体の枚数を表示する枚数表示部とを備えたものであることが望ましい。
【００１４】
そうすると、上記枚数表示部で複数枚の記録媒体の枚数が確認され、どの程度の撮影枚数が残っているかがすぐに分かる。
【発明の効果】
【００１５】
上記本発明の撮影装置によれば、手元にある複数枚のメモリカードを紛失する危険性が低減された撮影装置が実現される。また、複数枚の記録媒体が媒体装填室に装填されることで、この撮影装置での撮影枚数の増量が図られた撮影装置が実現される。
【発明を実施するための最良の形態】
【００１６】
以下図面を参照して本発明の実施の形態を説明する。
【００１７】
図１は、本発明の一実施形態である撮影装置にあたるデジタルカメラ１の外観を示す図である。図１（ａ）には正面図が示されており、図１（ｂ）には背面図が示されている。
【００１８】
図１（ａ）に示すデジタルカメラのカメラボディ１ａの中央部にはレンズ鏡胴１０が備えられており、その鏡胴１０の上方にはファインダ１１が備えられている。そのファインダ１１の横には閃光発光窓１２が備えられており、被写界輝度が暗いときにはこの閃光発光窓１２から閃光が発せられ撮影が行なわれる。
【００１９】
また、図１（ｂ）に示す背面側には本発明の枚数表示部としても機能する表示画面１５０ａが設けられており、この表示画面１５０ａはファインダとしても用いられている。この表示画面１５０ａに表示されている被写体を見ながらカメラボディ１ａ上面に設けられたレリーズ釦１６５が押下され撮影が行なわれる。また、このレリーズ釦１６５のほか、背面部に操作部として十字キー１６１やメニュー／ＯＫ釦１６２、キャンセルキー１６３、再生／撮影モード切替スイッチ１６４が配備されている。
【００２０】
この実施形態のデジタルカメラ１は、可搬型記録媒体であるメモリカード１１３が装填される媒体装填室１３を備え、撮影操作に応じて撮影光学系で捉えた被写体の撮影を行なって撮影データを得、その画像データをその媒体装填室１３に装填されているメモリカード１１３に記録するものであって、その媒体装填室１３は、図１に示すように複数枚のメモリカード１１３が装填されるものである。
【００２１】
図２は、複数枚のメモリカード１１３が装填される媒体装填室１３の構成を示す図である。
【００２２】
図２に示すようにレール状に仕切り１３ａ…１３ｅが多数段設けられており、隣り合う仕切りごとにメモリカード１１３それぞれが装填される。これらの仕切り１３ａ…１３ｅに装填されるメモリカード１１３は、そのメモリカード１１３にアクセスするための電気接点１１３２が形成されたものであり、媒体装填室１３は、挿入された複数のメモリカード１３ａ…１３ｅのうちの所定の位置ここでは最下部に挿入されたメモリカード１３ｅのみをアクセスするための電気接点１３１を備えたものである。また、メモリカード１１３の取り出しを円滑に行なえるように媒体装填室１３の上面端部には切欠１３３が設けられている。この切欠１３３に指先を入れることでメモリカード１１３の取出を円滑に行なえる。なお、ここでは最下段１３ｅに挿入されたメモリカード１１３のみをアクセスするための電気接点１３１を媒体装填室１３の下面側に設けてあるが、この電気接点を設ける位置は最上面側であっても最下面と最上面との間であっても良い。また、隣り合う仕切りごとに電気接点を設けても良いが、いままでカメラボディ１ａ内にあったスペースを活用してなるべく多くのメモリカード１１３を装填することができるような媒体装填室１３を製作してあるため、各仕切り１３ａ…１３ｅに電気接点を設けるとなると、媒体装填室１３がカメラボディ１ａ内の許容スペースに収まらなくなってしまう。このため、ここでは最下段１３ｅにのみ電気接点１３０を設けて、他の段に装填されたメモリカードをスペアとして、それらのスペアのうち、いずれかとその最下段のものとを交換していくことによって、すべてのメモリカード１１３に画像データの記録が有効に行なわれるものとしている。こうしておけば、さほどカメラボディ１ａを大型化させることなく、必要枚数分の記録容量が確保されたデジタルカメラ１が実現される。
【００２３】
また、メモリカードの交換を行なうことを前提とすれば、媒体装填室１３にメモリカード１１３が何枚装填されているかどうかが表示画面１５０ａ上に表示された方がユーザにとっては使い勝手が良い。
【００２４】
この例では、本発明にいう枚数検出部として一次元的にセンサが配列されているラインセンサ１３２を媒体装填室１３の壁面部のいずれか（ここでは終端部）に設置して、そのラインセンサ１３２により各仕切りごとにメモリカード１１３が装填されたか否かを検出している。また、本発明にいう枚数表示部にあたる、後述するシステム制御回路部により、枚数検出部にあたるラインセンサで検出されたメモリカードの枚数を表示画面１５０ａ上に表示させている。ここでは検出スイッチの一例としてラインセンサを挙げたが、プランジャタイプやロータリタイプのメカスイッチを使用しても良い。本発明にいう枚数検出部と枚数表示部の構成を、図３を参照して説明する。
【００２５】
図３は、撮影装置であるデジタルカメラ１の内部構成を示す図である。
【００２６】
このデジタルカメラ１は統括的にシステム回路制御部１００により制御されている。このシステム回路制御部１００を構成するものとして代表的なものに、ＣＰＵとメモリと入出力部とバスとからなるマイコンがあり、このマイコンはメモリ内に記憶されているプログラムの手順にしたがって処理を実行してこのデジタルカメラの動作を制御する。
【００２７】
図３を参照して枚数検出部と枚数表示部の構成を説明する前に、このデジタルカメラ１で撮影が行なわれ、メモリカード１１３に画像データが記録されるまでの画像データの流れを説明しておく。
【００２８】
まず、レンズ鏡胴１０に内蔵されている撮影レンズを含む撮像部１０１が捉えている被写体がスルー画像として表示画面１５０ａに表示されるので、そのスルー画像の流れについて説明して、その後撮影操作に応じてメモリカード１１３に画像データが記録されるまでの流れを説明する。
【００２９】
撮像部１０１で捉えた被写体を表わす画像データが所定の時刻ごとに画像生成部１０２に出力され、その画像生成部１０２でＹＣ変換などが施された後、画像表示部１５０にそのＹＣ変換などが施された画像データが供給される。画像表示部１５０では、その所定の時刻ごとに撮像部１０１で捉えた被写体を表わす画像データを受けて、その画像に基づく画像をスルー画像として表示画面１５０ａ上に表示する。この表示画面１５０ａ上に表示されているスルー画像を見ながら操作部１６０の中のレリーズ釦１６５が押下されたら、システム制御回路部１００がそれを撮影操作として受け取り、システム制御部１００から撮像部１０１へ撮影指示を示す信号が供給される。撮像部１０１では、その信号を受けて撮像素子の露光を開始し、システム制御回路１００から露光終了の信号が供給されるまでその露光が続けられる。所定の時間を経てシステム制御回路１００から露光終了の信号が供給されたら、撮像部１０１が備える撮像素子で生成された画像データが画像生成部１０２に出力され、この画像生成部１０２に出力された画像データにＹＣ変換や圧縮処理などが施される。このＹＣ変換され、さらに圧縮処理された画像データがメモリ御回路１０４により制御されて媒体装填室に装填されている複数のメモリカードのうち、最下段にあるメモリカード１１３に記録される。
【００３０】
なお、このデジタルカメラ１には電池装填室があり、その電池室に電池２００が装填されると、図３に示す各部に電力が供給される。
【００３１】
以上が、撮影操作に応じて画像データがメモリカード１１３に記録されるまでの流れである。
【００３２】
このように撮影操作に応じて最下段のメモリカード１１３に画像データがどんどんと記録されていくと、最下段のメモリカードにある記録領域のうち、大半が既撮影画像を表わす画像データに使われてしまって新たな画像データの記録を行なう領域がなくなってしまう。このような場合にスペアのメモリカード１１３とすぐに交換することができるように、スペア枚数の表示が枚数表示部の一部になるシステム制御回路部１００の制御の基に行なわれている。前述したように媒体装填室１３には、複数枚のメモリカード１１３の装填が可能になっているので、表示画面１５０ａ上にスペア枚数の表示を行なっておくことで、スペアのメモリカード１１３の交換を行なえば、いつでも問題なく撮影を行なえることが撮影者に通知される。つまり、表示画面１５０ａ上にスペア枚数を表示してスペアが何枚もあるということを撮影者に示し、交換を撮影者に行なわせることで、デジタルカメラの高容量化を図ったのと同じ効果を引き出そうとしている。
【００３３】
媒体装填室１３には、システム制御回路部１００とラインセンサ１３１からなる枚数検出部が配備されており、ラインセンサ１３１それぞれのセンサで検出された信号が枚数表示部にもあたるシステム制御回路部１００に供給されている。システム制御回路部１００ではそれらの検出信号に基づいて内部のカウンタでメモリカード１１３の枚数をカウントして画像表示部１５０の表示画面１５０ａ上にスペア枚数を表示している。このシステム制御回路部１００と画像表示部１５０とが枚数表示部にあたる。
【００３４】
図４はその画像表示部１５０の表示画面１５０ａを示す図である。
【００３５】
図４には媒体装填室が５枚の記録媒体の装填を許容するものであった場合の表示例が示されている。
【００３６】
図２に示す媒体装填室１３のすべての仕切り１３ａ〜１３ｅにメモリカード１１３が装填されたとして５枚のメモリカードが媒体装填室１３にあることが表示されている。この表示画面１５０ａの状態にあるときに、最下段に装填されていたメモリカード１１３が、他段に装填されていたメモリカード１１３と交換されると、図４（ｂ）に示すように表示が切り替えられ、スペアを含めたメモリカードの枚数が４枚であることが表示される。このようにしておくと、撮影者により表示画面１５０ａが視認されてメモリカードのスペア枚数が視認される。
【００３７】
なお、既撮影画像データで満杯になったメモリカードを、媒体装填室１３の複数の仕切りのうち、空いている仕切りに装填し直しても良く、そうすると媒体装填室１３がデジタルカメラに内蔵された収納箱としても活用される。
【００３８】
図５は別の実施形態を示す図である。
【００３９】
図５には複数枚の一例として２枚の記録媒体が装填される場合の例が示されている。
【００４０】
図１の構成と同様の構成であり媒体装填室１３０のみが異なる構成になっている。
【００４１】
図１では複数枚のメモリカードの装填を許容していたが、本図の例では２枚の記録媒体の装填を許容するものに置き換えられている。
【００４２】
図５に示すようにメモリカード１１３が、そのメモリカード１１３の表裏面のうちの一方の面である表面にのみ、そのメモリカードをアクセスするための電気接点１１３２が形成されたものであることを活用して、いままでの媒体装填室の大きさを若干変更している。その媒体装填室１３０は、メモリカード１１３が２枚装填されるものであって、そのメモリカード１１３が裏面どうしを対向させて装填されたときに各メモリカードの表面に形成されている電気接点１１３２に接し各メモリカードをアクセスするための電気接点を備えたものである。
【００４３】
図６はその媒体装填室１３０の構成を示す図である。
【００４４】
図６（ａ）は媒体装填室の外観を斜め上方から見た斜視図であり、図６（ｂ）は媒体装填室を高さ方向に沿って切断したときの断面図である。
【００４５】
図６に示すように、メモリカード１１３が裏面どうしを対向させて装填されたときに各メモリカード１１３の表面に形成されている電気接点１１３２に接し各メモリカード１１３をアクセスするための電気接点１３１Ａ，１３１Ｂが上面と下面との双方に設けられている。このようにしておくと、さほど媒体装填室１３０を大きくしなくても、上面部に電気接点１３１Ａを配設するだけで済み、さらに画像データの記録をいずれかのメモリカード１１３に選択的に行なえる。
【００４６】
図６のようにしても良いが、この構成だと電気接点が表面にくるようになっていなくても装填されるケースがあり、また装填されたことを検出する検出部を構成し難い。
【００４７】
図７は検出部１３２Ａを付加し、さらに誤まって装填されることのないように受け部１３４Ａ，１３４Ｂを設けた例を示す図である。
【００４８】
図７には、メモリカードの中に面取部１１３１Ａを持つものがあることを利用して、媒体装填室側にその面取部１１３１Ａを受け入れる受け部１３４Ａ，１３４Ｂを設けて、それらの受け部１３４Ａ，１３４Ｂが面取部１１３１Ａを受け入れたときにだけ２枚のメモリカード１１３１が媒体装填室１３０Ａに装填されることを許容している。ここでは、図７に示すようにメモリカード１１３１の裏面どうしを対向させて２枚のメモリカード１１３１が装填されたときに、双方のメモリカード１１３１の面取部１１３１Ａが終端部の異なる端部側に現われることを利用して、それらの面取部を受け入れる受け部１３４Ａ，１３４Ｂを、段差を付けてそれぞれ設けてある。
【００４９】
さらに、その受け部とは反対の側のメモリカードのエッジ部が現われることを利用して、そのエッジが突き当たる部分に検出スイッチを設けてある。
【００５０】
このようにすると、2枚のメモリカード１１３が誤りなく媒体装填室に装填され、さらにその装填されたことが検出される。この構成によれば、２つの媒体装填室を別途設けるより遥かに小型の媒体装填室が構成され、さらに媒体装填室の装填方法が撮影者に示されて使い勝手が向上する。
【００５１】
図８は図５の構造を持つデジタルカメラの内部構成を示す図である。
【００５２】
検出スイッチの部分が複数から２つに置き換わっている以外は図３と同様の構成である。
【００５３】
その２つの検出スイッチからなる枚数検出部によりメモリカードが装填されたことが検出されたことを受けて、システム制御回路１００と画像表示部１５０とからなる検出表示部によってメモリカードの装填状況が表示画面１５０ａ上に表示される。
【００５４】
図９はその表示画面の表示例である。
【００５５】
図９の２枚のメモリカードをＡ、Ｂに対応させて２枚のメモリカードが装填されたら、表示画面の発光部Ａ、Ｂを点灯させるようにしている。
【００５６】
このようにすると、いままで媒体装填室を設けていたスペースが一つ分削減されて撮影装置全体が小型になる。また、メモリカード２枚分の記録容量でも足りる状況においてはメモリカード１枚よりも大きな容量を持つ撮影装置が実現されて撮影枚数を気にせずに撮影を行なえる撮影装置が実現される。
【００５７】
なお、本実施形態では撮影装置の一例としてデジタルカメラを例に挙げたが、メモリカードが装填されるようなカメラ付きケータイにも適用可能である。
【図面の簡単な説明】
【００５８】
【図１】本発明の一実施形態である撮影装置にあたるデジタルカメラの外観を示す図である。
【図２】複数枚のメモリカード１１３が装填される媒体装填室１３の構成を示す図である。
【図３】撮影装置であるデジタルカメラ１の内部構成を示す図である。
【図４】そのスペア枚数の表示画面を示す図である。
【図５】別の実施形態を示す図である。
【図６】その記録媒体室の構成を示す図である。
【図７】検出部を付加し、さらに誤まって装填されることのないように改善した例を示す図である。
【図８】図５の構造を持つデジタルカメラの内部構成を示す図である。
【図９】表示画面の表示例である。
【符号の説明】
【００５９】
１  デジタルカメラ
１ａ  カメラボディ
１０    鏡胴
１１    ファインダ
１２    閃光発光窓
１３    媒体装填室
１３１    電気接点
１３２    ラインセンサ
１３３    切欠部
１００    システム制御回路部
１０１    撮像部
１０２    画像生成部
１０３    メモリ制御回路
１５０    画像表示部
１５０ａ    表示画面
【図１】
2005167889.tif 000003
【図２】
2005167889.tif 000004
【図３】
2005167889.tif 000005
【図４】
2005167889.tif 000006
【図５】
2005167889.tif 000007
【図６】
2005167889.tif 000008
【図７】
2005167889.tif 000009
【図８】
2005167889.tif 000010
【図９】
2005167889.tif 000011